【事件の表示】
　特願２０１５−１８３６７９号「遊技機」拒絶査定不服審判事件〔平成２９年　３月３０日出願公開、特開２０１７−　６０５３６号〕について、次のとおり審決する。
【結　論】
　本件審判の請求は、成り立たない。
【理　由】
第１　手続の経緯
　本願は，平成２７年９月１７日の出願であって，平成２８年９月８日付けで拒絶理由が通知され，同年１１月１０日に意見書及び手続補正書が提出されたが，同年１１月２４日付けで拒絶査定がなされ，これに対して，平成２９年２月２７日に拒絶査定不服審判の請求がなされるとともに手続補正がなされたものである。
第２　平成２９年２月２７日付けの手続補正についての補正却下の決定
［補正却下の決定の結論］
　平成２９年２月２７日付けの手続補正（以下「本件補正」という。）を却下する。
［理由］
１　本件補正の概要
　本件補正は特許請求の範囲の請求項１の記載を含む補正であり，平成２８年１１月１０日付けの手続補正と本件補正の特許請求の範囲の請求項１の記載はそれぞれ，以下のとおりである（下線部は補正を示す。）。
（補正前：平成２８年１１月１０日付けの手続補正）
「【請求項１】
　遊技の進行を制御すると共に，遊技の進行に応じたコマンドを含む複数種類のコマンドを生成し得る主制御手段と，
　少なくとも画像表示と音出力とを実行する演出手段と，
　前記主制御手段が生成したコマンドを受信し，受信した少なくとも前記主制御手段が生成したコマンドに基づいて，前記演出手段において実行される画像表示又は音出力の内容を変更可能な演出制御手段と，
　前記演出制御手段の制御に基づいて表示手段の表示画像を変更可能な表示制御手段と
　を備える遊技機であって，
　前記表示制御手段は，前記表示手段の表示画像として，客待ち中における操作手段の所定の操作を契機として出現させる所定の動画像を表示させているときに前記演出制御手段が受信したコマンドが，前記主制御手段が生成したコマンドであるか否かに関わらず所定コマンドである場合，前記表示手段における前記動画像の表示を維持することを特徴とする遊技機。」
（補正後：本件補正：平成２９年２月２７日付け手続補正）
「【請求項１】
　遊技の進行を制御すると共に，遊技の進行に応じたコマンドを含む複数種類のコマンドを生成し得る主制御手段と，
　少なくとも画像表示と音出力とを実行する演出手段と，
　前記主制御手段が生成したコマンドを受信し，受信した少なくとも前記主制御手段が生成したコマンドに基づいて，前記演出手段において実行される画像表示又は音出力の内容を変更可能な演出制御手段と，
　前記演出制御手段の制御に基づいて表示手段の表示画像を変更可能な表示制御手段と
　を備える遊技機であって，
　前記表示制御手段は，前記表示手段の表示画像として，客待ち中における操作手段の所定の操作を契機として出現させる
動画像であって，遊技機の遊技方法を説明する一連のフレーム画像からなる
遊技方法説明
遊技方法説明
　
２　補正の適否
（１）補正事項
　本件補正は，補正前の請求項１に記載された発明特定事項である「動画像」に関して，「客待ち中における操作手段の所定の操作を契機として出現させる所定の動画像を表示させているとき」及び「表示手段における前記動画像の表示を維持する」という記載を，「客待ち中における操作手段の所定の操作を契機として出現させる動画像であって，遊技機の遊技方法を説明する一連のフレーム画像からなる所定の遊技方法説明動画像を表示させているとき」及び「表示手段における前記遊技方法説明動画像の表示を維持する」という記載に補正するものである。
（２）補正の目的等についての検討
　上記補正事項は，「所定の動画像」，「動画像」を，それぞれ「遊技機の遊技方法を説明する一連のフレーム画像からなる所定の遊技方法説明動画像」，「遊技方法説明動画像」と限定する補正であり，また，補正後の請求項１に記載された発明は，補正前の請求項１に記載された発明と，産業上の利用分野及び解決しようとする課題が同一であるので，特許法第１７条の２第５項第２号に規定する特許請求の範囲の減縮を目的とするものに該当する。
　そして，本件補正は，段落【０５５０】及び【図１２２】，【図１３３】，【図１３６】，【図１３９】の記載に基づくものであるから，新規事項を追加するものではない。
３　独立特許要件
　そこで，本件補正後の請求項１に記載された発明が特許出願の際独立して特許を受けることができるものであるか否か，すなわち，特許法第１７条の２第６項において準用する同法第１２６条第７項の規定に適合するか否か，について以下に検討する。
（１）本件補正後の請求項１に係る発明
　補正後の請求項１に係る発明（以下，「本願補正発明」という。）は，上記「１　本件補正の概要」に本件補正後の請求項１として記載したとおりのものである（Ａ〜Ｆは，本願補正発明を分説するために当審で付与した。）。
「【請求項１】
Ａ　遊技の進行を制御すると共に，遊技の進行に応じたコマンドを含む複数種類のコマンドを生成し得る主制御手段と，
Ｂ　少なくとも画像表示と音出力とを実行する演出手段と，
Ｃ　前記主制御手段が生成したコマンドを受信し，受信した少なくとも前記主制御手段が生成したコマンドに基づいて，前記演出手段において実行される画像表示又は音出力の内容を変更可能な演出制御手段と，
Ｄ　前記演出制御手段の制御に基づいて表示手段の表示画像を変更可能な表示制御手段と
　を備える遊技機であって，
Ｅ　前記表示制御手段は，前記表示手段の表示画像として，客待ち中における操作手段の所定の操作を契機として出現させる動画像であって，遊技機の遊技方法を説明する一連のフレーム画像からなる所定の遊技方法説明動画像を表示させているときに前記演出制御手段が受信したコマンドが，前記主制御手段が生成したコマンドであるか否かに関わらず所定コマンドである場合，前記表示手段における前記遊技方法説明動画像の表示を維持すること
Ｆ　を特徴とする遊技機。」
（２）刊行物に記載された事項
（２−１）刊行物１
　原査定の平成２８年９月８日付け拒絶理由に引用された本願の出願前に頒布された特開２０１５−１２９７６号公報（以下，「刊行物１」という。）には，図面とともに次の事項が記載されている（下線は当審で付した。）。
（ア）「【００４１】
　
パチンコ遊技機１には，
主基板１１，演出制御基板１２，
払出制御基板１９といった，各種の制御基板が搭載されている。
（イ）「【００４２】
　
主基板１１は，
パチンコ遊技機１における遊技の進行を制御するための各種回路が搭載されている。
演出制御基板１２，払出制御基板１９などからなるサブ側の制御基板に宛てて，指令情報の一例となる制御コマンド（後述の演出制御コマンドなど）を制御信号として出力して送信する
（ウ）「【００４４】
　
演出制御基板１２は，
主基板１１から伝送された制御信号などを受信して，画像表示装置５や
スピーカ８Ｌ，８Ｒ
といった演出用の電気部品による演出動作を制御する
【００４５】
　音声制御基板１３は，演出制御基板１２とは別個に設けられた音声出力制御用の制御基板であり，演出制御基板１２からの信号（効果音信号）に基づき，スピーカ８Ｌ，８Ｒから音声（効果音信号が指定する音声）を出力させるための音声信号処理を実行する処理回路などが搭載されている。なお，音声とは，音のみからなるものも含む。ランプ制御基板１４は，演出制御基板１２とは別個に設けられたランプ出力制御用の制御基板であり，演出制御基板１２からの信号（電飾信号）に基づき，遊技効果ランプ９や装飾用ＬＥＤなどにおける点灯／消灯駆動（電飾信号が示す駆動内容による点灯／消灯）を行うランプドライバ回路などが搭載されている。払出制御基板１９は，賞球の払出を制御する基板であり，払出制御用マイクロコンピュータが搭載されている。払出制御基板１９は，賞球個数を示すデータが設定された賞球個数コマンドの受信（主基板１１から制御信号として伝送される。）に応じて，球払出装置（図示せず）などから構成される払出機構（賞球を払い出す機構）を駆動して，賞球の払い出しを実行する。また，払出制御基板１９は，異常検出用センサ群９３からの信号を受信する。払出制御基板１９は，受信した信号などに基づいてパチンコ遊技機１についての異常の有無及び異常終了の有無が発生したかを判定し，異常がある場合（異常が発生している場合）や異常終了がある場合には，異常検出指定コマンドや異常終了指定コマンドを制御信号として主基板１１に送信する機能も有する。発生している異常又は終了する異常が複数種類の場合には，その種類ごとに異常検出指定コマンドや異常終了指定コマンドが送信される。異常検出用センサ群９３などについては，後で詳述する。異常検出指定コマンドや異常終了指定コマンドは，主基板１１から演出制御基板１２に伝送される異常検出指定コマンドや異常終了指定コマンド（詳しくは後述する。）と同じコマンドでよい。
主基板１１は，払出制御基板１９からの異常検出指定コマンドや
を演出制御基板１２に伝送する
（エ）「【００６１】
　演出制御基板１２に搭載された
表示制御部１２３は，演出制御用ＣＰＵ１２０からの表示制御指令などに基づき
画像表示装置５
における表示動作の制御内容を決定して実行する。
（オ）「【００９８】
　
主基板１１では
ＣＰＵ１０３によって遊技制御メイン処理となる所定の処理が実行される。
ＣＰＵ１０３は定期的にタイマ割込み処理を実行する
【０１００】
　図３は，遊技制御用タイマ割込処理の一例のフローチャートである。
ＣＰＵ１０３は，遊技制御用タイマ割込処理において，
コマンド制御処理（ステップＳ１７）といった，パチンコ遊技機１における遊技の進行などを制御するための処理が含まれている
（カ）「【０１１６】
　ここで，
コマンド制御処理により主基板１１から演出制御基板１２
に送信される主な制御コマンドに
異常検出指定コマンド
他の制御コマンドは，主基板１１から演出制御基板１２に伝送される。
【０１１７】
　コマンド８００１（Ｈ）は，第１特別図柄の可変表示（変動）を開始することを指定する演出制御コマンド（第１変動開始指定コマンド）である。コマンド８００２（Ｈ）は，第２特別図柄の可変表示（変動）を開始することを指定する演出制御コマンド（第２変動開始指定コマンド）である。第１変動開始指定コマンドと第２変動開始指定コマンドとを
変動開始指定コマンド
変動パターン指定コマンド
（キ）「【０１５５】
　ステップＳ２３５にて第１特図を用いた特図ゲームの保留記憶数が「０」である場合には（ステップＳ２３５；Ｙｅｓ），所定のデモ表示設定を行ってから（ステップＳ２４８），特別図柄通常処理を終了する。このデモ表示設定では，
例えば画像表示装置５において所定の演出画像を表示することなどによるデモンストレーション表示（デモ画面表示）を指定する演出制御コマンド（客待ちデモ指定コマンド）が，主基板１１から演出制御基板１２に対して送信
演出制御基板１２では，客待ちデモ指定コマンドが送信されると，デモ画面表示を行う。
（ク）「【０１８２】
　
演出制御基板１２では，
演出制御用ＣＰＵ１２０
（ケ）「【０２１１】
　ステップＳ７０３のあと，
演出制御用ＣＰＵ１２０は，
表示制御部１２３のＶＤＰ等に対して所定の表示制御指令を伝送するなどして，画像表示装置５の表示領域のうちの異常表示領域に
異常報知画像を表示させる
異常表示領域は
表示の邪魔にならない
小さな領域
【０２１２】
　
異常報知画像は，画像表示装置５に表示される演出画像（例えば，可変表示中演出の画像やデモ画像）などに重畳して表示される。
異常報知画像のレイヤー（画像表示装置５の表示領域と同じ大きさのレイヤー）が，演出画像のレイヤー（画像表示装置５の表示領域と同じ大きさのレイヤー）の前面
に
重畳して表示される
異常報知画像のレイヤーは，異常報知画像以外の部分を透明にする
（コ）「【０２４９】
磁気センサ感知とは，磁気異常（磁石がパチンコ遊技機１の近傍にあるという異常，この場合，不正行為がある可能性がある。）を検出したときに行われる異常の報知である。磁石によって遊技媒体を移動させ，入賞口に入賞させたり，遊技媒体を入賞口に誘導するため所定領域を遊技媒体で詰まらせたりする不正行為がある。磁気センサ感知によって，このような行為を報知することで，このような行為が行われることを未然に防止する。例えば，異常検出用センサ群９０の１つのセンサとして，磁気を検出するための磁気センサを設ける。
ＣＰＵ１０３は，
磁気センサからの信号が所定の閾値以上の磁力を示すものであるかを判定することで，磁気異常の有無を判定する（磁力を示す→磁気異常有り）。
磁気異常が検出された場合，当該異常が発生したことを指定する異常検出指定コマンドが主基板１１から演出制御基板１２に伝送され，
【０２５０】
　磁気センサ感知の終了条件（報知の終了条件）は，報知期間５分の経過時である。つまり，磁気異常が発生すると，異常終了の有無に係わらず所定期間だけ報知が行われる。このため，例えば，ステップＳ７０４などにおいて，
演出制御用ＣＰＵ１２０は，
異常報知画像として，例えば，「磁気エラー」の画像が第１異常表示領域に表示される。このときは，例えば，図２３のように，可変表示中演出の演出画像などが表示された状態で，異常報知画像が表示される
　上記記載事項（ア）〜（コ）より，以下の事項が導かれる。
　なお，（ａ）〜（ｆ）は，本願補正発明の構成Ａ〜Ｆに対応した事項を示している。
（ａ）上記段落【００４２】には「主基板１１は，・・・パチンコ遊技機１における遊技の進行を制御するための各種回路が搭載されている。・・・演出制御基板１２，払出制御基板１９などからなるサブ側の制御基板に宛てて，指令情報の一例となる制御コマンド（後述の演出制御コマンドなど）を制御信号として出力して送信する」と記載され，上記段落【０１００】には「ＣＰＵ１０３は，遊技制御用タイマ割込処理において，・・・コマンド制御処理（ステップＳ１７）といった，パチンコ遊技機１における遊技の進行などを制御するための処理が含まれている」と記載され，上記段落【００９８】には「主基板１１では・・・ＣＰＵ１０３は定期的にタイマ割込み処理を実行する」と記載され，上記段落【０１１６】，【０１１７】には「コマンド制御処理により主基板１１から演出制御基板１２，・・・に送信される主な制御コマンドに・・・異常検出指定コマンド・・・他の制御コマンドは，主基板１１から演出制御基板１２に伝送される。・・・変動開始指定コマンド・・・変動パターン指定コマンド」と記載され，上記段落【０２４９】には「磁気異常が検出された場合，当該異常が発生したことを指定する異常検出指定コマンドが主基板１１から演出制御基板１２に伝送され」と記載されているから，刊行物１には，
パチンコ遊技機１における遊技の進行を制御し，主基板１１から演出制御基板１２に伝送される，磁気異常が発生したことを指定する異常検出指定コマンド，変動開始指定コマンド，変動パターン指定コマンドを含む制御コマンドを制御信号として出力して送信する主基板１１
（ｂ）（ｃ）上記段落【００４４】には「演出制御基板１２は，・・・主基板１１から伝送された制御信号などを受信して，画像表示装置５や・・・スピーカ８Ｌ，８Ｒ・・・といった演出用の電気部品による演出動作を制御する」と記載されているから，刊行物１には，（ｂ）
画像表示装置５やスピーカ８Ｌ，８Ｒといった演出用の電気部品
主基板１１から伝送された制御信号などを受信して，画像表示装置５やスピーカ８Ｌ，８Ｒといった演出用の電気部品による演出動作を制御する演出制御基板１２
（ｄ）上記段落【００６１】には「表示制御部１２３は，演出制御用ＣＰＵ１２０からの表示制御指令などに基づき・・・画像表示装置５・・・における表示動作の制御内容を決定して実行する。」と記載されているから，刊行物１には，
演出制御用ＣＰＵ１２０からの表示制御指令などに基づき，画像表示装置５における表示動作の制御内容を決定して実行する表示制御部１２３
（ｅ）上記【００６１】には「演出制御基板１２に搭載された表示制御部１２３は，演出制御用ＣＰＵ１２０からの表示制御指令などに基づき・・・画像表示装置５・・・における表示動作の制御内容を決定して実行する。」と記載され，上記【０１５５】には「画像表示装置５において所定の演出画像を表示することなどによるデモンストレーション表示（デモ画面表示）を指定する演出制御コマンド（客待ちデモ指定コマンド）が，主基板１１から演出制御基板１２に対して送信・・・演出制御基板１２では，客待ちデモ指定コマンドが送信されると，デモ画面表示を行う。」と記載されているから，刊行物１には，
表示制御部１２３は，主基板１１から客待ちデモ指定コマンドが送信されると，画像表示装置５に所定の演出画像を表示することなどによるデモ画像表示を行う
　次に，上記段落【０２４９】，【０２５０】には「・・・磁気異常が検出された場合，当該異常が発生したことを指定する異常検出指定コマンドが主基板１１から演出制御基板１２に伝送され，・・・演出制御用ＣＰＵ１２０は，・・・異常報知画像として，例えば，「磁気エラー」の画像が第１異常表示領域に表示される。このときは，例えば，図２３のように，可変表示中演出の演出画像などが表示された状態で，異常報知画像が表示される」と記載され，上記段落【０２１１】，【０２１２】には「演出制御用ＣＰＵ１２０は，・・・表示制御部１２３のＶＤＰ等に対して所定の表示制御指令を伝送するなどして，画像表示装置５の表示領域のうちの異常表示領域に・・・異常報知画像を表示させる・・・異常表示領域は・・・表示の邪魔にならない・・・小さな領域・・・異常報知画像は，画像表示装置５に表示される演出画像（例えば，可変表示中演出の画像やデモ画像）などに重畳して表示される。・・・異常報知画像のレイヤー（画像表示装置５の表示領域と同じ大きさのレイヤー）が，演出画像のレイヤー（画像表示装置５の表示領域と同じ大きさのレイヤー）の前面・・・に・・・重畳して表示される・・・異常報知画像のレイヤーは，異常報知画像以外の部分を透明にする」と記載され，上記段落【０２１１】，【０２１２】には，異常報知画像を表示させるときの演出画像は，「例えば，可変表示中演出の画像やデモ画像」と記載されているように，「可変表示中演出の画像」でなく，「デモ画像」でもいいといえる。
　また，段落【００９８】には「主基板１１では，・・・ＣＰＵ１０３によって遊技制御メイン処理となる所定の処理が実行される。」と記載され，段落【０２４９】には「ＣＰＵ１０３は，・・・磁気センサからの信号が所定の閾値以上の磁力を示すものであるかを判定することで，磁気異常の有無を判定する（磁力を示す→磁気異常有り）。」と記載されているから，主基板１１のＣＰＵが磁気異常を判定しているといえる。
　これらのことから，刊行物１には，
デモ画像表示において，演出制御基板１２に伝送されたコマンドが，主基板１１から演出制御基板１２に伝送された，主基板１１のＣＰＵ１０３が判定した磁気異常が発生したことを指定する異常検出指定コマンドであると，異常報知画像以外の部分を透明にした異常報知画像のレイヤーを前面に重畳して表示することにより，画像表示装置５の表示の邪魔にならない小さな異常表示領域に異常報知画像として「磁気エラー」の画像がデモ画像と重畳して表示される
　以上のことから，刊行物１には，
表示制御部１２３は，主基板１１から客待ちデモ指定コマンドが送信されると，画像表示装置５に所定の演出画像を表示することなどによるデモ画像表示を行い，デモ画像表示において，演出制御基板１２に伝送されたコマンドが，主基板１１から演出制御基板１２に伝送された，主基板１１のＣＰＵ１０３が判定した磁気異常が発生したことを指定する異常検出指定コマンドであると，異常報知画像以外の部分を透明にした異常報知画像のレイヤーを前面に重畳して表示することにより，画像表示装置５の表示の邪魔にならない小さな異常表示領域に異常報知画像として「磁気エラー」の画像がデモ画像と重畳して表示される
（ｆ）上記段落【００４１】には「パチンコ遊技機１には，・・・主基板１１，演出制御基板１２，・・・払出制御基板１９といった，各種の制御基板が搭載されている。」と記載されているから，刊行物１には，主基板１１，演出制御基板１２，払出制御基板１９といった各種の制御基板が搭載された
パチンコ遊技機１
　上記の記載事項（ア）〜（コ）及び上記の認定事項（ａ）〜（ｆ）から，刊行物１には，次の発明（以下，「引用発明１」という。）が記載されていると認められる。
「ａ　パチンコ遊技機１における遊技の進行を制御し，主基板１１から演出制御基板１２に伝送される，磁気異常が発生したことを指定する異常検出指定コマンド，変動開始指定コマンド，変動パターン指定コマンドを含む制御コマンドを制御信号として出力して送信する主基板１１と，
ｂ　画像表示装置５やスピーカ８Ｌ，８Ｒといった演出用の電気部品と，
ｃ　主基板１１から伝送された制御信号などを受信して，画像表示装置５やスピーカ８Ｌ，８Ｒといった演出用の電気部品による演出動作を制御する演出制御基板１２と，
ｄ　演出制御基板１２の演出制御用ＣＰＵ１２０からの表示制御指令などに基づき，画像表示装置５における表示動作の制御内容を決定して実行する表示制御部１２３，を備えたパチンコ遊技機１であって，
ｅ’　表示制御部１２３は，主基板１１から客待ちデモ指定コマンドが送信されると，画像表示装置５に所定の演出画像を表示することなどによるデモ画像表示を行い，デモ画像表示において，演出制御基板１２に伝送されたコマンドが，主基板１１から演出制御基板１２に伝送された，主基板１１のＣＰＵ１０３が判定した磁気異常が発生したことを指定する異常検出指定コマンドであると，異常報知画像以外の部分を透明にした異常報知画像のレイヤーを前面に重畳して表示することにより，画像表示装置５の表示の邪魔にならない小さな異常表示領域に異常報知画像として「磁気エラー」の画像がデモ画像と重畳して表示される，
ｆ　パチンコ遊技機１」
（２−２）刊行物２
本願の出願前に頒布された特開２００９−７２３９５号公報（以下，「刊行物２」という。）には，図面とともに次の事項が記載されている（下線は当審で付した。）。
（ア）「【０００７】
また，デモ表示の実行回数を前記カウンタでカウントし，デモ表示の実行回数に応じて，デモ表示の演出時間や演出内容を変えたり，デモ表示のインターバル時間を変更したりすることで呼び込み効果を高めることが可能になる。
さらに，通常のデモ表示が複数回実行される毎に
特別のデモ表示として
『遊技方法を解説した動画映像』などを液晶画面に表示
（イ）「【００２３】
  図１は，この発明をパチンコ遊技機に適用した実施例を示す斜視図である。
  パチンコ遊技機は，本体を構成する遊技盤保持枠１を遊技場内の島に固定される木製の矩形外枠２のよって包囲される空間部に収容し，前記遊技盤保持枠１を外枠２の側辺部材の上下に取付けたヒンジ金具３，３により，開閉可能に支持している。前記遊技盤保持枠１の前面には，垂直面に対し略直角に立設した外レール４および内レール５によって包囲された円形の遊技盤面６ａを有する遊技盤６が着脱可能に取付けられているとともに，遊技盤６の前面には遊技に関連する画像情報を表示するための
液晶画面７
（ウ）「【００７６】
　図１４は本発明にかかる
遊技機の演出用サブ制御基板６０
（エ）「【００７８】
　次に，前記ステップＳＴ６０５では予めセットされているタイマの設定時間が経過しているかを判定し，設定時間が経過している場合は，判定結果がＹＥＳとなってステップＳＴ６０６に進む。次に，ステップ６０６では，今回実施されたデモ表示の回数が予め設定された規定回数，例えば１０の倍数であるかが判定され，１０の倍数でない場合は判定がＮＯとなってステップＳＴ６０７に進み通常デモ表示(例えば，演出時間３０秒)を実行するが，１０の倍数に該当する場合には，判定がＹＥＳとなってステップＳＴ６１０に進む。ステップＳＴ６１０では，前記ステップＳＴ６０７で実行される通常デモ表示に比べて長い演出，例えば，
遊技機の遊技方法説明ビデオ映像
を含む
特別なデモ表示
（オ）「【００８２】
　しかも，
非遊技中に遊技者が遊技機前面の操作スイッチＳを操作した
判定した場合は
通常デモ表示
を行っている途中で
特別デモ表示が始まり部分から実行される
詳しい遊技説明を最初の映像から見ることができる
　そして，「フレーム」とは，「フィルムや動画の一齣こま。」[株式会社岩波書店 広辞苑第六版]を意味する用語であるし，刊行物２に記載された遊技機の表示装置として，液晶画面７（段落【００２３】）が用いられてることからみても，上記「遊技方法説明ビデオ映像」が連続する一齣の画像によって形成される，すなわち一連のフレーム画像からなるものであることは，当業者にとって自明な事項である。
　したがって，上記の記載事項（ア）〜（オ）から，刊行物２には，次の発明（以下，「引用発明２」という。）が記載されていると認められる。
「ｅ’通常デモ表示を行っている途中に，遊技者が遊技機前面の操作スイッチＳを操作したと判定した場合には，一連のフレーム画像からなる遊技機の遊技方法説明ビデオ映像（遊技方法を解説した動画映像）を表示させる演出用サブ制御基板６０」
（３）対比
　本願補正発明と引用発明１とを対比する。
（ａ）引用発明１の「制御コマンド」，「主制御基板１１」は，それぞれ，本願補正発明の「コマンド」，「主制御手段」に相当する。
　また，引用発明１の「主制御基板１１」は「パチンコ遊技機１における遊技の進行を制御」するから，引用発明１の「主基板１１から演出制御基板１２に伝送される，磁気異常が発生したことを指定する異常検出指定コマンド，変動開始指定コマンド，変動パターン指定コマンド」は，遊技の進行に応じて生成されることは明らかである。
　したがって，引用発明１の「パチンコ遊技機１における遊技の進行を制御し，主基板１１から演出制御基板１２に伝送される，磁気異常が発生したことを指定する異常検出指定コマンド，変動開始指定コマンド，変動パターン指定コマンドを含む制御コマンドを制御信号として出力して送信する主基板１１」は，本願補正発明の「遊技の進行を制御すると共に，遊技の進行に応じたコマンドを含む複数種類のコマンドを生成し得る主制御手段」に相当する。
（ｂ）引用発明１の「演出用の電気部品」は，本願補正発明の「演出手段」に相当する。
　このことから，引用発明１の「画像表示装置５やスピーカ８Ｌ，８Ｒといった演出用の電気部品」は，本願補正発明の「少なくとも画像表示と音出力とを実行する演出手段」に相当する。
（ｃ）引用発明１の「演出制御基板１２」は，本願補正発明の「演出制御手段」に相当する。
　このことから，引用発明１の「主基板１１から伝送された制御信号などを受信して，画像表示装置５やスピーカ８Ｌ，８Ｒといった演出用の電気部品による演出動作を制御する演出制御基板１２」は，本願補正発明の「前記主制御手段が生成したコマンドを受信し，受信した少なくとも前記主制御手段が生成したコマンドに基づいて，前記演出手段において実行される画像表示又は音出力の内容を変更可能な演出制御手段」に相当する。
（ｄ）引用発明１の「画像表示装置５」及び「表示制御部１２３」は，それぞれ，本願補正発明の「表示手段」及び「表示制御手段」に相当する。
　したがって，引用発明１の「演出制御基板１２の演出制御用ＣＰＵ１２０からの表示制御指令などに基づき，画像表示装置５における表示動作の制御内容を決定して実行する表示制御部１２３」は，本願補正発明の「前記演出制御手段の制御に基づいて表示手段の表示画像を変更可能な表示制御手段」に相当する。
（ｅ）引用発明１の「デモ画像表示」は，「主基板１１から客待ちデモ指定コマンドが送信され」ることにより表示されるから，客待ち中における所定の画像の表示であるといえる。
　また，引用発明１の「磁気異常が発生したことを指定する異常検出指定コマンド」は「主基板１１から演出制御基板１２に伝送された，主基板１１のＣＰＵ１０３が判定した磁気異常が発生したことを指定する」コマンドであるから，主基板１１が生成したコマンドであるといえるので，本願補正発明の「所定コマンド」に相当する。
　しかしながら，引用発明１の「磁気異常が発生したことを指定する異常検出指定コマンド」は，主基板１１以外によって生成されないから，主基板１１が生成したか否かに関わらないものではない。
　そして，引用発明１の異常報知領域は表示の邪魔にならない小さなものであり，異常報知画像以外の部分を透明にした異常報知画像のレイヤーをデモ画像の前面に重畳して表示したものであるから，デモ画像の表示は，異常報知画像によって邪魔されず，維持されているといえる。
　しかしながら，引用発明１のデモ画像は，操作手段の所定の操作を契機として出現させる動画像であって，遊技機の遊技方法を説明する一連のフレーム画像からなる所定の遊技方法説明動画像であるとまではいえない。
　したがって，引用発明１の「表示制御部１２３は，主基板１１から客待ちデモ指定コマンドが送信されると，画像表示装置５に所定の演出画像を表示することなどによるデモ画像表示を行い，デモ画像表示において，演出制御基板１２に伝送されたコマンドが，主基板１１から演出制御基板１２に伝送された，主基板１１のＣＰＵ１０３が判定した磁気異常が発生したことを指定する異常検出指定コマンドであると，異常報知画像以外の部分を透明にした異常報知画像のレイヤーを前面に重畳して表示することにより，画像表示装置５の表示の邪魔にならない小さな異常表示領域に異常報知画像として「磁気エラー」の画像がデモ画像と重畳して表示され」ることは，本願補正発明と「前記表示制御手段は，前記表示手段の表示画像として，客待ち中における」「所定の」「画像を表示させているときに前記演出制御手段が受信したコマンドが，前記主制御手段が生成したコマンドである」「所定コマンドである場合，前記表示手段における前記」「画像の表示を維持すること」である点で共通する。
（ｆ）引用発明１の「パチンコ遊技機１」は，本願補正発明の「遊技機」に相当する。
　上記（ａ）〜（ｆ）から，本願補正発明と引用発明１とは，
［一致点］
「Ａ　遊技の進行を制御すると共に，遊技の進行に応じたコマンドを含む複数種類のコマンドを生成し得る主制御手段と，
Ｂ　少なくとも画像表示と音出力とを実行する演出手段と，
Ｃ　前記主制御手段が生成したコマンドを受信し，受信した少なくとも前記主制御手段が生成したコマンドに基づいて，前記演出手段において実行される画像表示又は音出力の内容を変更可能な演出制御手段と，
Ｄ　前記演出制御手段の制御に基づいて表示手段の表示画像を変更可能な表示制御手段と
　を備える遊技機であって，
Ｅ’　前記表示制御手段は，前記表示手段の表示画像として，客待ち中における所定の画像を表示させているときに前記演出制御手段が受信したコマンドが，前記主制御手段が生成したコマンドである所定コマンドである場合，前記表示手段における前記画像の表示を維持すること
Ｆ　を特徴とする遊技機。」
　である点で一致し，以下の点で相違する。
［相違点１］（構成Ｅ）
　客待ち中に表示される所定の画像に関して，
　本願補正発明は，「操作手段の所定の操作を契機として出現させる動画像であって，遊技機の遊技方法を説明する一連のフレーム画像からなる所定の遊技方法説明動画像」であるのに対して，
　引用発明１は，所定の演出画像を表示することなどによるデモ画像である点。
　
［相違点２］（構成Ｅ）
　演出制御手段が受信した所定コマンドに関して，
　本願補正発明は，「主制御手段が生成したコマンドであるか否かに関わら」ないのに対して，
　引用発明１は，主制御手段が生成したコマンドである点。
　
（４）判断
ア　相違点１について
　上記（２）（２−２）に記載された引用発明２は，「通常デモ表示を行っている途中に，遊技者が遊技機前面の操作スイッチＳを操作したと判定された場合には，一連のフレーム画像からなる遊技機の遊技方法説明ビデオ映像（遊技方法を解説した動画映像）を表示させる」発明である。
　引用発明１と引用発明２は共に，遊技機において，デモ画像表示（通常デモ表示）をする技術に関する発明であり，技術分野が共通している。
　したがって，引用発明１に，引用発明２を適用して，客待ちデモのデモ画像が表示されている際に，操作スイッチを操作したと判定された場合には，操作手段の所定の操作を契機として，一連のフレーム画像からなる遊技機の遊技方法説明ビデオ映像を表示させるとともに，遊技方法説明ビデオ映像を表示させている時に，異常検出指定コマンドを受信しても，異常報知画像が遊技方法説明ビデオ映像（遊技方法を解説した動画映像）と重畳して表示されることにより，遊技方法説明ビデオ映像（遊技方法を解説した動画映像）の表示を維持するようにして，上記相違点に係る本願補正発明の構成とすることは，当業者が容易になし得たことである。
イ　相違点２について
　遊技機の技術分野において，遊技機の検査，試験を能率良く且つ短時間で実行するため，遊技制御手段以外の制御手段である試験装置から，演出制御手段に対し，遊技制御手段に替わって任意のタイミングで各種コマンドを送信し得るようにすることは，本願出願前に周知である（例えば，特開２０００−５１４９０号公報の段落【００２７】，【００３３】〜【００４９】，【図２】，【図４】や，登録実用新案第３０５６４６４号公報の段落【００１２】〜【００２２】，【図２】，【図４】を参照のこと。以下「周知技術１」という。）。
　また，遊技機の技術分野において，通常遊技時には，遊技機の主制御手段から演出制御手段にコマンドを送信すると共に，遊技機の検査，試験時には，試験装置から遊技機の演出制御手段に通常遊技時に送信されるコマンドと同じコマンドを送信することは，当業者における技術常識であって当業者に広く知られている事項である。したがって，このことを踏まえると，引用発明１は，遊技機の検査，試験を行う際，検査，試験を能率良く且つ短時間で実行するという自明の課題を内在するものである。
　したがって，引用発明１に上記周知技術１を適用して，電源復旧コマンドを主制御手段により生成すると共に，試験を行う際に，試験装置によっても同じコマンドを生成可能とし，上記相違点２に係る本願補正発明の構成とすることは，当業者が容易になし得たものである。
　また，本願補正発明の作用効果も，引用発明１，引用発明２及び周知技術１から当業者が予測できる範囲のものである。
　したがって，本願補正発明は，引用発明１，引用発明２及び周知技術１に基づいて，当業者が容易に発明をすることができたものである。
（５）請求人の主張について
　請求人は審判請求書第４頁第３行〜第１２行において，
「引用文献２には，遊技者が操作スイッチを操作したとき，強制的に特別なデモ表示を冒頭から実行させる手段を有していると共に，前記特別なデモ表示として，少なくとも遊技機の遊技方法説明を含んでいるとの記載がある。この遊技方法説明は，「遊技方法を解説した動画映像」（段落０００７），「遊技機の遊技方法説明ビデオ映像などを含む演出時間６０秒の特別なデモ表示」（段落００７８）との記載があり，上記（構成ｂ）の「一連のフレーム画像からなる所定の遊技方法説明動画像」とは異なる。しかしながら，一応は少なくとも上記（構成ｂ）の一部には相当する構成である。したがって，引用文献２に記載の発明は，本願発明の上記特徴点のうち，（構成ａ）に相当する構成を有していないが，（構成ｂ）の一部に相当する構成を有している。」
と主張している。
　しかしながら，上記（３）において既に検討したように，「フレーム」とは，「フィルムや動画の一齣（こま）。」[株式会社岩波書店 広辞苑第六版]を意味する用語であるし，刊行物２に記載された遊技機の表示装置として，液晶画面７（段落【００２３】）が用いられてることからみても，上記「遊技方法説明ビデオ映像（遊技方法を解説した動画映像）」が連続する一齣の画像によって形成される，すなわち一連のフレーム画像からなるものであることは，当業者にとって自明な事項である。
　したがって，請求人の主張を採用することはできない。
（６）まとめ
　したがって，本願補正発明は，特許法第２９条第２項の規定に基づいて特許出願の際独立して特許を受けることができない。
　よって，本件補正は，特許法第１７条の２第６項において準用する同法第１２６条第７項の規定に違反するので，同法第１５９条第１項において読み替えて準用する同法第５３条第１項の規定により却下すべきものである。
第３　本願発明
　本件補正は，上記のとおり却下されることとなったので，本願の請求項１に係る発明は，平成２８年１１月１０日付けの手続補正書により補正された特許請求の範囲の請求項１に記載された事項により特定されるとおりのものであるところ，その請求項１に係る発明（以下，「本願発明」という。）は，上記「第２［理由］１」に本件補正前の請求項１として記載したとおりのものである。
１　刊行物１
　原査定の拒絶理由に引用された本願の出願前に頒布された刊行物１の記載事項及び引用発明１の認定については，上記「第２［理由］３（２）（２−１）」に記載したとおりである。
２　対比
　本願発明は，上記「第２［理由］１」で検討した本願補正発明から，実質的な変更とならない特定事項を除き，「動画像」について，「遊技機の遊技方法を説明する一連のフレーム画像からなる所定の遊技方法説明」動画像であるとの限定を削除したものである。
　そうすると，本願発明と引用発明１の相違点は，上記「第２［理由］２（３）」の［相違点１］の構成を，以下の［相違点１’］の構成に変更したものと，上記「第２［理由］２（３）」の［相違点２］である。
［相違点１’］（構成Ｅ）
　客待ち中に表示される所定の画像に関して，
　本願発明は，「操作手段の所定の操作を契機として出現させる動画像」であるのに対して，
　引用発明１は，所定の演出画像を表示することなどによるデモ画像である点。
３　判断
ア　相違点１について
　上記相違点１’について検討すると，
　遊技機の技術分野において，客待ち中のデモ演出において，遊技者の操作に基づいて所定の動画像を表示することは，刊行物２（上記「第２［理由］３（２）（２−２）」で検討したとおり，通常デモ表示を行っている途中に，遊技者が遊技機前面の操作スイッチＳを操作したと判定した場合には，一連のフレーム画像からなる遊技機の遊技方法説明ビデオ映像（遊技方法を解説した動画映像）を表示させる演出用サブ制御基板６０が記載されている。）や特開２０１４−３４５号公報（拒絶査定時の引用文献３。段落【０４９１】には，「・・・客待ち表示制御中（即ち，客待ちデモ演出中）である限り，「停止図柄表示状態」（客待ちＡ）と「ムービー再生によるデモ表示状態」（客待ちＢ）とが，それぞれ所定の客待ちデモ実行時間だけ交互に実行される。・・・演出ボタン９を押すことで，・・・客待ちＢの表示を見たい時・・・に利用できるようにしてもよい。・・・」と記載されているから，客待ちデモ演出中において，演出ボタン９を押すことで，ムービー再生によるデモ表示状態（客待ちＢ）を実行する遊技機が記載されている。）に記載されているように，周知（以下，「周知技術２」という。）である。
　したがって，引用発明１において，周知技術２を採用し，客待ち中のデモ演出において，遊技者の操作に基づいて所定の動画像を表示させるとともに，所定の動画像を表示させている時に，異常検出指定コマンドを受信しても，所定の動画像の表示を維持するようにして，上記相違点１’に係る本願発明の構成とすることは，当業者が適宜なし得たことである。
イ　相違点２について
　上記相違点２については，上記「第２［理由］２（４）イ］において既に検討しているように，引用発明１に上記周知技術１を適用して，上記相違点２に係る本願発明の構成とすることは，当業者が容易になし得たものである。
　そして，本願発明の作用効果も，引用発明１，周知技術１〜２から当業者が予測できる範囲のものである。
　したがって，本願発明は，引用発明１，周知技術１〜２に基づいて，当業者が容易に発明をすることができたものである。
３　むすび
　以上のとおり，本願発明は，特許法第２９条第２項の規定により特許を受けることができないものである。
　よって，結論のとおり審決する。